(57)【要約】【課題】ストロボ発光制御を行うシーンに於いて露出オーバの画像をなくし、確実に背景像と被写体像の画像を残すデジタルカメラ及びカメラシステムを提供することである。【解決手段】測光部４により撮影画面の中央部と撮影画面全体が測光される。また、被写体１５の像はデジタル撮像部５で撮像され、該被写体１５の像はストロボ発光部６によって照明される。そして、メインＣＰＵ２０によって、上記中央部の測光と撮影画面全体の測光による出力のうち、輝度の明るい出力に合わせて露出合わせが行われ、デジタル撮像部５の出力の飽和を防止したストロボ発光制御が行われる。【選択図】　　図１
2004004361.tif 000002
【特許請求の範囲】
【請求項１】
撮影画面の中央部を測光可能な第１の測光手段と、撮影画面全体を測光可能な第２の測光手段と、被写体像を撮像する撮像手段と、該被写体像を照明するためのストロボ発光手段と、露出を制御する露出制御手段と、を有するデジタルカメラに於いて、
上記露出制御手段は、上記第１の測光手段と第２の測光手段による出力のうち、輝度の明るい出力に合わせて露出合わせを行い、上記撮像手段の出力の飽和を防止したストロボ発光制御を行うことを特徴とするデジタルカメラ。
【請求項２】
上記露出制御手段は、減光するための減光フィルタが使用されることを特徴とする請求項１に記載のデジタルカメラ。
【請求項３】
上記被写体像を銀塩フィルムに露光する銀塩フィルム撮影手段を更に具備することを特徴とする請求項２に記載のデジタルカメラ。
【請求項４】
銀塩フィルムに被写体像を露光する銀塩撮影手段と、撮像部を用いて上記被写体像を露光するタイミングで上記被写体像の撮像を行うデジタル撮像手段とを備えて、上記銀塩撮影手段及びデジタル撮像手段に於ける双方の絞り値が異なるカメラシステムに於いて、
被写体輝度を判定する輝度判定手段と、
被写体像を照明するためのストロボ発光手段と、
露出を制御するもので、上記銀塩撮影を行う際の露出を決定し、上記ストロボ発光手段を用いた撮影を行う際に、銀塩撮影時に求めたストロボ発光量をデジタル撮像手段の絞り値を考慮した第１の露出補正値と、ストロボ発光しないときのデジタル撮像手段を適正露出する第２の露出補正値を求め、上記第１の露出補正値と第２の露出補正値のうち、暗く補正する方向になる補正値を上記デジタル撮像手段の露出に使用する露出制御手段と、
を具備することを特徴とするカメラシステム。
【請求項５】
上記銀塩撮影手段はズーム変倍機構を有していることを特徴とする請求項４に記載のカメラシステム。
【発明の詳細な説明】
【０００１】
【発明の属する技術分野】
この発明はデジタルカメラの測光制御時のストロボ同調機能に関し、より詳細には、銀塩カメラとデジタルカメラの機能が同時に搭載されたハイブリッドタイプのカメラシステムの測光制御時のストロボ同調機能にするものである。
【０００２】
【従来の技術】
従来より、日中の逆光時に於いて、ストロボを発光させて被写体を適正露出で撮影する技術が知られている。
【０００３】
例えば、特公平７−７１７１号公報では、撮影画面中央部の被写体と撮像画像被写体周辺との間に輝度差があり、中央被写体を逆光判定をした場合、周辺部の露出をオーバとし、ストロボ発光により中央部の被写体は適正露光として、逆光時の撮影らしくコントラストの豊かな写真を得るためのカメラが開示されている。
【０００４】
【発明が解決しようとする課題】
上述した特公平７−７１７１号公報のように、銀塩カメラの場合、逆光シーンはストロボが発光され、被写体と背景（被写体周辺）の両方を写し込んで逆光の雰囲気を出している。
【０００５】
ところが、デジタルカメラを用いて、同様の測光制御を行った場合、フィルムと異なり撮像素子のラチチュード（許容輝度幅）が狭いために、背景が露出オーバとなってしまうことがある。
【０００６】
また、逆光の場合、ストロボの発光光量が多いカメラでも、距離が離れるとストロボ光が届かなくなってしまう。そのため、背景と被写体との輝度差が大きくなり、背景像が露出オーバの状態になってしまうことになる。
【０００７】
したがってこの発明は、上記課題に鑑みてなされたものであり、ストロボ発光制御を行うシーンに於いて露出オーバの画像をなくし、確実に背景像と被写体像の画像を残すデジタルカメラ及びカメラシステムを提供することを目的とする。
【０００８】
【課題を解決するための手段】
すなわち第１の発明は、撮影画面の中央部を測光可能な第１の測光手段と、撮影画面全体を測光可能な第２の測光手段と、被写体像を撮像する撮像手段と、該被写体像を照明するためのストロボ発光手段と、露出を制御する露出制御手段と、を有するデジタルカメラに於いて、上記露出制御手段は、上記第１の測光手段と第２の測光手段による出力のうち、輝度の明るい出力に合わせて露出合わせを行い、上記撮像手段の出力の飽和を防止したストロボ発光制御を行うことを特徴とする。
【０００９】
また、第２の発明は、銀塩フィルムに被写体像を露光する銀塩撮影手段と、撮像部を用いて上記被写体像を露光するタイミングで上記被写体像の撮像を行うデジタル撮像手段とを備えて、上記銀塩撮影手段及びデジタル撮像手段に於ける双方の絞り値が異なるカメラシステムに於いて、被写体輝度を判定する輝度判定手段と、被写体像を照明するためのストロボ発光手段と、露出を制御するもので、上記銀塩撮影を行う際の露出を決定し、上記ストロボ発光手段を用いた撮影を行う際に、銀塩撮影時に求めたストロボ発光量をデジタル撮像手段の絞り値を考慮した第１の露出補正値と、ストロボ発光しないときのデジタル撮像手段を適正露出する第２の露出補正値を求め、上記第１の露出補正値と第２の露出補正値のうち、暗く補正する方向になる補正値を上記デジタル撮像手段の露出に使用する露出制御手段と、を具備することを特徴とする。
【００１０】
第１の発明のデジタルカメラにあっては、第１の測光手段により撮影画面の中央部が測光され、第２の測光手段によって撮影画面全体が測光される。また、被写体像は撮像手段で撮像され、該被写体像はストロボ発光手段によって照明される。そして、露出制御手段によって、上記第１の測光手段と第２の測光手段による出力のうち、輝度の明るい出力に合わせて露出合わせが行われ、上記撮像手段の出力の飽和を防止したストロボ発光制御が行われる。
【００１１】
また、第２の発明によるカメラシステムにあっては、銀塩撮影手段によって銀塩フィルムに被写体像が露光され、撮像部が用いられて上記被写体像が露光されるタイミングで上記被写体像の撮像がデジタル撮像手段で行われる。更に、上記銀塩撮影手段及びデジタル撮像手段に於ける双方の絞り値は異なる値である。そして、輝度判定手段で被写体輝度が判定され、ストロボ発光手段で被写体像が照明される。ここで、露出制御手段によって、上記銀塩撮影を行う際の露出が決定され、上記ストロボ発光手段が用いられた撮影が行われる際に、銀塩撮影時に求められたストロボ発光量がデジタル撮像手段の絞り値が考慮された第１の露出補正値と、ストロボ発光しないときのデジタル撮像手段が適正露出される第２の露出補正値が求められ、上記第１の露出補正値と第２の露出補正値のうち、暗く補正する方向になる補正値が上記デジタル撮像手段の露出に使用されるように制御される。
【００１２】
【発明の実施の形態】
以下、図面を参照してこの発明の実施の形態を説明する。
【００１３】
図２は、この発明の第１の実施の形態に係るカメラの外観図であり、（ａ）は正面図、（ｂ）は背面図である。この第１の実施の形態に於けるカメラは、銀塩フィルムによる画像とデジタル画像を同時に撮り込むことの可能な銀塩撮像系とデジタル撮像系とを有したハイブリッドタイプのカメラである。
【００１４】
このカメラ本体１の前面には、その略中央部にレンズ駆動部及びレンズから成る銀塩撮影レンズ部２が設けられている。そして、この銀塩撮影レンズ部２の上方には、後述する測距部３及び測光部４と、デジタル用のデジタル撮像部５とが設けられている。デジタル撮像部５は、上述した銀塩撮影レンズ部２とは独立した光学系である。更に、このデジタル撮像部５の右側にはストロボ発光部６が設けられている。また、上記測距部３及び測光部４、デジタル撮像部５、ストロボ発光部６の前面部には、パネルが取付けられている。
【００１５】
カメラ本体１の上面には、銀塩フィルムを使用した撮影用の機能を有した操作スイッチ等の操作部７と、フィルムの駒数やカメラモードを表示をする銀塩フィルム用の銀塩表示部８が設けられている。
【００１６】
また、カメラ本体１の背面には、撮像したデジタル画像を表示するためのデジタル画像用のデジタル表示部１０が設けられている。そして、このデジタル表示部１０の下方には、デジタル用の操作スイッチ１１が複数個設けられている。
【００１７】
図１は、この発明の第１の実施の形態に係るカメラの全体の構成を示すブロック図である。
【００１８】
図１に於いて、被写体１５からの撮影光束は、光学的なズーム変倍機能を有するズームレンズを含む撮影レンズ２ａを介して銀塩フィルム（以下、単にフィルムと略記する）１７に結像される。また、上記被写体からの光束は、レンズ３ａ及び４ａを介して測距部３及び測光部４に取り込まれると共に、ＮＤフィルタ１８及び光学的なズーム変倍機能を有するレンズ５ａを介してデジタル撮像部５に取り込まれる。
【００１９】
メインＣＰＵ２０は、このカメラ全体の制御を行うものである。そして、このメインＣＰＵ２０には、測距部３、測光部４、デジタル撮像部５、ストロボ発光部６、操作部７、銀塩表示部８、デジタル表示部１０、ズーム部２１、レンズ駆動部２２、ＮＤフィルタ駆動部２３、シャッタ駆動部２４、給送駆動部２５、デート写し込み部２６、充電部２７、発振子２８、ＥＥＰＲＯＭ３０、画像記憶部３１及び電源電池３２が接続されている。
【００２０】
上記測距部３はカメラ本体１から被写体１５までの距離を測定するものであり、測光部４は被写体１５の輝度を測定するものである。この測光部４は、詳しくは、図３に示されるように、全体の輝度を測定する領域３５で表される輝度ＢＶａｖｅと、中央の被写体のみ測光する領域３６で表される中央輝度ＢＶｓｐｏｔとから構成されている。
【００２１】
デジタル撮像部５は、被写体１５をデジタル画像として撮影するデジタルものであり、銀塩撮像系のズームレンズに連動して、ズーム倍率と絞り値（ＦＮＯ．）が銀塩部分と同値に変更される。
【００２２】
上記操作部７は、図示されないが、パワースイッチ、レリーズスイッチ、ズームアップスイッチ、ズームダウンスイッチ、後蓋スイッチ、日付表示機能スイッチ、カメラのモード選択機能スイッチ、セルフモードスイッチ、写し込み設定スイッチ、画像の表示スイッチ等の各種スイッチを有して成る。
【００２３】
上記ズーム部２１は撮影レンズ２ａ内のズームレンズの倍率を変更するためのものである。また、上記レンズ駆動部２２は、被写体１５をフィルム１７の面に結像させるようにレンズのピントを合わせるために、撮影レンズを移動させるためのものである。
【００２４】
上記シャッタ駆動部２４は、図示されないシャッタユニット内のシャッタ羽根を制御するためのものであり、給送駆動部２５はフィルム１７の給送用の給送モータを駆動するためのものである。更に、デート写し込み部２６は、フィルム１７に日付データの写し込みを行うためのものである。
【００２５】
上記ＮＤフィルタ１８は、被写体１５をデジタル撮像部５にて撮像する際に輝度を減光するためのものである。このＮＤフィルタ１８は、カメラ本体１の内部に、図示矢印Ａ方向に回動可能に設けられているもので、外部からは見えないようになっている。そして、このＮＤフィルタ１８は、ＮＤフィルタ駆動部２３によって所定方向に回転され、輝度減光設定がなされるものである。
【００２６】
上記充電部２７はストロボ発光部６を発光させるためのエネルギーを蓄えるものであり、発振子２８はメインＣＰＵ２０に動作用のクロックを入力するためのものである。
【００２７】
ＥＥＰＲＯＭ３０は、カメラ本体１の動作状態を記憶しておく不揮発性メモリである。また、画像記憶部３１は、上記デジタル撮像部５にて撮像された画像データを保存するものである。更に、電源電池３２は、メインＣＰＵ２０を含むカメラ本体１の各部に電源を供給するものである。
【００２８】
次に、図４及び図５のフローチャートを参照して、カメラ全体の動作を説明する。尚、ここでは、デジタル撮像系と銀塩撮影系の絞り値が常に同値になる場合の処理について説明する。
【００２９】
先ず、ステップＳ１にて電源電池３２がカメラ本体１に装填されると、続くステップＳ２にてメインＣＰＵ２０内の図示されないＲＡＭやフラグ類の初期化が行われる。この初期化の後、ステップＳ３では「バッテリチェック」の処理が行われる。
【００３０】
「バッテリチェック」の処理に問題がなければ、ステップＳ４に於いて、操作部７中のパワースイッチ（ＳＷ）の状態が判断される。ここで、上記パワースイッチがオンされていれば、ステップＳ５に移行して、サブルーチン「ワイド」にて、ズームをワイドにする処理が行われる。その後、ステップＳ６へ移行する。一方、上記ステップＳ４にて、パワースイッチがオフであれば、ズームをワイドにする処理は行われないでステップＳ６へ移行する。
【００３１】
ステップＳ６では、銀塩用表示部８の表示用の４分間タイマ（図示せず）がスタートされる。次いで、ステップＳ７に於いて、操作部７中のパワースイッチの状態が判断される。ここで、パワースイッチがオンされていれば、ステップＳ８に移行して、上記ステップＳ６でスタートされたタイマが４分経過したか否かが判断される。その結果、４分が経過していなければステップＳ１２へ移行し、４分が経過していればステップＳ１０へ移行する。
【００３２】
また、上記ステップＳ７にてパワースイッチがオンされていなければ、ステップＳ９へ移行して、撮影レンズ２ａがワイドから沈胴位置に移動される。その後、ステップＳ１０にて、デジタル表示部１０、銀塩表示部８が共にオフにされる。更に、ステップＳ１１に移行して、メインＣＰＵ２０が停止状態にされる。
【００３３】
メインＣＰＵ２０が停止状態となるということは、発振子２８は停止状態であるということである。この停止状態からは、操作部７中のパワースイッチ、後蓋スイッチ、ズームアップスイッチ及びズームダウンスイッチ等の、各種スイッチによる割込み処理によって、発振子２８が再起動される。これにより、メインＣＰＵ２０が起動されて、ステップＳ２へ移行し、カメラの動作が再開される。
【００３４】
ステップＳ１２では、銀塩表示部８の表示のオン処理が行われる。次いで、ステップＳ１３にて、ストロボ充電部２７の状態が充電完了であるか否かが判断される。ここで、充電が完了していなければ、ステップＳ１４に移行して、サブルーチン「充電」でストロボ発光部６の充電が行われた後、ステップＳ１５へ移行する。一方、充電が既に完了している場合は、ステップＳ１４をスキップしてステップＳ１５へ移行する。
【００３５】
ステップＳ１５では、操作部７中の後蓋スイッチの状態が判断される。ここでは、先ず、後蓋が開いている状態から閉じられた状態に変化したか否かが判断される。状態が変化している場合は、ステップＳ１６に移行して「バッテリチェック」の処理が行われる。次いで、ステップＳ１７でフィルム１７の空送りが行われた後、上記ステップＳ６に移行する。
【００３６】
一方、上記ステップＳ１５にて後蓋の状態が変化していない場合は、ステップＳ１８に移行して、後蓋が閉じられた状態から開いた状態に変化したか否かが判断される。ここで、後蓋が開いた状態に変化したのであれば、ステップＳ１９に移行して、「バッテリチェック」の処理が行われる。そして、ステップＳ２０に移行して、巻戻し終了フラグＲＷＥＤＦが“０”にされる。その後、上記ステップＳ６へ移行する。
【００３７】
上記ステップＳ１５及びＳ１８にて、後蓋が閉じたままの状態であれば、ステップＳ２１へ移行して、巻戻しが終了しているか否かを判断するフラグＲＷＥＤＦの状態が検出される。巻戻しが終了している場合は“１”、巻戻しが終了していない場合は、“０”のフラグが検出される。その結果、巻戻しが終了している場合、すなわち、フラグが“１”の場合は上記ステップＳ７へ移行する。一方、巻戻しが終了していない場合、すなわち、フラグが“０”の場合は、ステップＳ２２へ移行する。
【００３８】
ステップＳ２２では、操作部７中のデジタル表示スイッチ（ＳＷ）がオンされたか否かが判断される。ここで、上記デジタル表示スイッチがオンであればステップＳ２３へ移行し、オフであればステップＳ２５へ移行する。
【００３９】
ステップＳ２３では、デジタル表示部１０の表示用の１０秒タイマ（図示せず）がスタートされる。次いで、ステップＳ２４にて、デジタル表示部１０が表示される。
【００４０】
そして、ステップＳ２５に於いて、上記デジタル表示部１０の表示用のタイマが１０秒経過したか否かが判断される。ここで、該タイマが１０秒経過したならばステップＳ２６へ移行して、デジタル画像の表示を行うデジタル表示部１０がオフにされる。一方、上記ステップＳ２５にてタイマが未経過ならば、ステップＳ２７へ移行する。
【００４１】
そして、ステップＳ２７に於いて、操作部７中のレリーズスイッチ（ＳＷ）の状態がオンかオフかが判断される。レリーズスイッチは、ファーストレリーズスイッチ（１ＲＳＷ）とセカンドレリーズスイッチ（２ＲＳＷ）の二段階のスイッチにより構成される。ここで、上記レリーズスイッチの状態がオフの場合はステップＳ２８へ移行し、オンの場合はステップＳ３１へ移行する。
【００４２】
ステップＳ２８では、操作部７中のズームアップスイッチ（ＳＷ）及びズームダウンスイッチ（ＳＷ）の状態が検出される。ここで、ズーミングもされていない、すなわち、ズームアップスイッチ及びズームダウンスイッチの何れもオンされていない状態の場合は、上記ステップＳ７へ移行する。
【００４３】
上記ステップＳ２８にて、何れかのズームスイッチがオンされている場合は、続くステップＳ２９にて、バッテリチェックが行われる。次いで、ステップＳ３０にて、ズーム部２１が動作されてズーミング制御が行われる。ここで、ズームアップスイッチがオンされ続けた場合は、ズームはテレ位置へ移動し、ズームダウンスイッチがオンされ続けた場合は、ズームがワイド位置へ移動する。更に、ワイド位置、テレ位置の途中でズームスイッチがオフにされた場合は、その位置でズームが停止する。その後、上記ステップＳ６に移行する。
【００４４】
上記ステップＳ２７でレリーズスイッチの状態がオンの場合は、ステップＳ３１にてバッテリチェックの処理が行われる。次いで、ステップＳ３２では、デジタル撮像部５の電源回路がオンにされて、デジタル撮影が可能な状態にされる。そして、ステップＳ３３では、上記ファーストレリーズスイッチがオンされることにより、測距部３及び測光部４によって被写体の距離及び輝度が検出される。
【００４５】
続いて、ステップＳ３４では、上記ステップＳ３３で得られた被写体輝度の距離のデータに基いて、ＡＥ演算が行われる。ここでは、銀塩撮影系、デジタル撮像系の露出を決定し、ストロボ発光の必要の有無が判断される。また、独立した光学系であるデジタル撮像部５での被写体光量が明るすぎる場合、ＮＤフィルタ駆動部２３が使用されて、ＮＤフィルタ部１８で適切なフィルタが選択され、被写体光量が減光される。
【００４６】
次に、ステップＳ３５では、セカンドレリーズスイッチのオンでレンズ駆動部２２によってピント合わせ用のＡＦレンズが駆動され、ピントの補正が行われる。
【００４７】
更に、ステップＳ３６では、上記ステップＳ３４で得られたＡＥ演算の結果に基いて、シャッタ駆動部２４によって被写体１５をフィルムに露光するために、シャッタ秒時が制御される。また、同時にデジタル画像が撮像されるため、上記ＡＥ演算の結果に基いて、デジタル撮像部５で撮像時間が決められて撮像される。
【００４８】
すなわち、ＡＥ演算で決定されたゲインやフレームレート、シャッタ秒時が設定され、撮像される。また、信号処理された撮像信号がメインＣＰＵ２０に転送される。この際、欠陥画素補正、ホワイトバランスも行われる。更に、被写体が逆光や低輝度の場合は、上記ステップＳ３４のＡＥ演算でストロボ発光の要求がなされているので、ストロボ発光部６の発光制御に同調してシャッタ制御が行われる。この後、デジタル撮像部５の電源回路がオフにされ、撮影された画像がメインＣＰＵ２０にてＪＰＥＧ方式でデータ圧縮されて、画像機億部３１に書き込まれる処理が行われる。
【００４９】
次に、ステップＳ３７では、フィルムの撮影が終了することにより、フィルム給送用の給送駆動部２５が駆動されて、フィルムの巻上げ処理が行われる。そして、ステップＳ３８では、デジタル画像表示用の１０秒タイマがスタートされる。更に、ステップＳ３９では、上記ステップＳ３６で撮像されたデジタル画像が画像記憶部３１よりメインＣＰＵ２０に読出されて、該メインＣＰＵ２０にてデジタル表示部１０に表示出力される。
【００５０】
次いで、ステップＳ４０に於いて、フィルムが終了かどうかが判断される。ここで、フィルムエンドでない場合は上記ステップＳ６へ移行する。一方、フィルムエンドの場合は、ステップＳ４１に移行して、巻戻しフラグＲＷＥＤＦが“１”にされてフィルムの巻戻しが行われる。その後、上記ステップＳ６へ移行する。
【００５１】
以上がカメラ全体の撮影シーケンスである。
【００５２】
次に、図６のフローチャートを参照して、上述した図４及び図５のフローチャートに於けるステップＳ３４のサブルーチン「ＡＥ演算」の詳細な動作について説明する。
【００５３】
尚、以下に述べるステップＳ５１〜Ｓ５３は銀塩撮影系の露出を決定するための処理であり、ステップＳ５４〜Ｓ５８はデジタル撮像系の露出を決定する処理である。
【００５４】
この「ＡＥ演算」のサブルーチンに入ると、先ずステップＳ５１にて、測距部３による距離データと、ズームによるＡＶ値、フィルムＩＳＯ読出し部（図示せず）の情報が取得される。次いで、ステップＳ５２では、充電部２７の充電電圧が計算される。ここでは、どれくらい充電圧が下がるとストロボ発光光量が落ちるかが計算される。更に、ステップＳ５３では、測光部４より取得された測光値、距離、ＩＳＯ値、絞り値等より、銀塩撮影系の露出が演算される。
【００５５】
ここで、図７に示されるような逆光シーンの場合、領域３６のＢＶｓｐｏｔより、領域３５のＢＶａｖｅの方が明るい。この際、撮影範囲の輝度をＢＶａｖｅとし、逆光判定をしてストロボ発光要求がなされ、露出が適正になるようなシャッタ駆動部２４の開口時間、ストロボ発光部６のタイミングと発光時間が決定される。
【００５６】
ステップＳ５４では、上記測光部４により取得された測光値、撮影範囲中央の輝度データＢＶｓｐｏｔと、全体輝度データＢＶａｖｅとが比較される。ここで、ＢＶｓｐｏｔがＢＶａｖｅよりも暗ければステップＳ５５へ移行する。一方、ＢＶｓｐｏｔがＢＶａｖｅよりも明るければステップＳ５６へ移行する。
【００５７】
ステップＳ５５では、撮像範囲の輝度がＢＶａｖｅとして選択される。同様に、ステップＳ５６では、撮像範囲の輝度がＢＶｓｐｏｔとして選択される。そして、ステップＳ５７にて、上記ステップＳ５５またはステップＳ５６で取得された撮像範囲輝度が使用されて、デジタル撮像部５の露出が演算される。すなわち、デジタル撮像部５中のゲイン、フレームレート、電子シャッタ秒時やＮＤフィルタ（減光フィルタ）１８の設定が決定される。
【００５８】
次いで、ステップＳ５８にて、上記ステップＳ５７で選択されたＮＤフィルタ値になるようにＮＤフィルタ１８が駆動される。このＮＤフィルタ１８は、例えば、フィルタを４枚有している場合、被写体光を０ＥＶ、１ＥＶ、２ＥＶ、３ＥＶ減光することができるようになっている。このようにして、最適なフィルタを選択することができるようになっている。
【００５９】
その後、本ルーチンを抜ける。
【００６０】
このように制御することにより、銀塩撮影系は逆光時の撮影らしくコントラスのある写真となり、一方、デジタル撮像系は露出オーバとならない画像となる。
【００６１】
次に、第１の実施の形態の変形例について説明する。
【００６２】
図８は、この発明の第１の実施の形態の第１の変形例を示すもので、デジタルカメラの構成を示すブロック図である。
【００６３】
このデジタルカメラ４０は、図１の構成のカメラ本体１から銀塩撮影系を削除してデジタル撮像系のみのカメラとして構成している。
【００６４】
すなわち、このデジタルカメラ４０は、測距部４１、レンズ４１ａ、ＮＤフィルタ４２、撮像レンズ４３、撮像部４４、メインＣＰＵ４５、ズーム部４６、レンズ駆動部４７、ＮＤフィルタ駆動部４８、操作部５０、画像記憶部５１、デジタル表示部５２、ＥＥＰＲＯＭ５３、充電部５４、ストロボ発光部５５及び電源電池５６を有して構成される。尚、この場合の測光部は、撮像部４４が兼用している。
【００６５】
そして、これらの各構成要素は、上述した図１のカメラ本体１の測距部３、レンズ３ａ、ＮＤフィルタ１８、撮影レンズ２ａ、デジタル撮像部５、メインＣＰＵ２０、ズーム部２１、レンズ駆動部２２、ＮＤフィルタ駆動部２３、操作部７、画像記憶部３、デジタル表示部１０、ＥＥＰＲＯＭ３０、充電部２７、ストロボ発光部６及び電源電池３２と同様であるので、ここでは説明省略する。
【００６６】
このように構成することで、上述した第１の実施の形態と同様に、デジタル撮像系にて露出オーバしない画像を得ることができる。
【００６７】
このように、この発明はデジタルカメラにも適用可能である。
【００６８】
更に、上述した第１の実施の形態では、被写体１５の輝度を測光する手段として測光部４により行っていたが、第２の変形例として、デジタル撮像部５を使用して輝度を測光してもよい。また、この場合、測光部４を除去してもよい。
【００６９】
次に、この発明の第２の実施の形態について説明する。
【００７０】
図９は、この発明の第２の実施の形態に係るカメラ全体の構成を示すブロック図である。
【００７１】
同図に於いて、第２の実施の形態によるカメラ１ａは、銀塩撮影系とデジタル撮像系とが独立しており、銀塩撮影系に光学的なズーム変倍機能を有するズームレンズが設けられているが、デジタル撮像系には光学的なズーム変倍機能を有するレンズが設けられていない。その他の構成は、上述した図１に示される第１の実施の形態と同様の構成であるので、説明は省略する。
【００７２】
次に、第２の実施の形態に於けるカメラの露出について説明をする。
【００７３】
図１０は、第２の実施の形態によるカメラの動作を説明するもので、図４及び図５のフローチャートに於けるステップＳ３４のサブルーチン「ＡＥ演算」の詳細な動作を説明するフローチャートである。
【００７４】
サブルーチン「ＡＥ演算」が実行されると、本ルーチンに入る。
【００７５】
尚、以下に述べるステップＳ６１〜Ｓ６３は銀塩撮影系の露出を決定するための処理であり、ステップＳ６４〜Ｓ６８はデジタル撮像系の露出を決定する処理である。
【００７６】
先ず、ステップＳ６１にて、測距部３による距離データと、ズームによるＡＶ値、フィルムＩＳＯ読出し部（図示せず）の情報が取得される。すると、続くステップＳ６２にて、充電部２７の充電電圧が計算される。ここでは、どれくらい、充電圧が下がっていてストロボ発光光量が落ちるかが計算される。
【００７７】
更に、ステップＳ６３では、測光部４より取得された測光値、距離、ＩＳＯ値、絞り値等より銀塩撮影系の露出が演算される。すなわち、シャッタ駆動部２４の開口時間、ストロボ発光部６のタイミングと、発光時間が決定される。ストロボ発光部６の発光量と発光タイミングは、銀塩撮影系の演算で決定される。
【００７８】
ストロボ発光量は、以下の式により求められる。
ＧＶ（ストロボ発光量）＝ＡＶ（絞り）＋ＤＶ（距離）　−ＳＶ（フィルム感度）＋ＳＶ（ＩＳＯ１００）
ここで、デジタル撮像系と銀塩撮影系を同時にストロボ発光し撮像する場合、双方のＡＶ値が異なる場合は、補正をしないと適正露出にならない。この補正の演算は、後述するステップＳ６７にて行われる。
【００７９】
さて、銀塩撮影系の露出が決定されると、次にステップＳ６４にて、測光部４より取得された測光値、撮影範囲全体の輝度データＢＶａｖｅが使用されて、デジタル撮像部５の露出制御の演算がなされる。ここでは、デジタル撮像部５中のゲイン（ＧＡＩＮ）、フレームレート、電子シャッタ秒時や、ＮＤフィルタ（減光フィルタ）１８の設定が決定される。尚、後述するステップＳ６７で使用するストロボ発光時の補正値（ＧＡＩＮ値−ＮＤフィルタ値）も求められる。
【００８０】
ステップＳ６５に於いては、上記ステップＳ６３でストロボ発光要求があったかか否かが判断される。ここで、発光要求があった場合はステップＳ６６へ移行し、発光要求が無い場合はステップＳ６８へ移行する。
【００８１】
ストロボ発光量は上記ステップＳ６３にて銀塩撮影系の露出が適正になるように決定されている。このため、ストロボ発光量をデジタル撮像部５で適正にするためには、デジタル撮像部５のＡＶ（絞り）が、銀塩撮影系と異なる分だけ補正をする必要がある。このため、ステップＳ６６では、補正値（ＧＡＩＮ値−ＮＤフィルタ値）が算出される。
【００８２】
そして、ステップＳ６７に於いて、上記ステップＳ６４及びステップＳ６６で得られた補正値より、ＡＥ再演算処理がなされる。すなわち、ストロボ発光時の露出は、下記式より求められる。
ΔＥＶ＝ＬＯＧ２（２ΔＥＶ（ＢＶａｖｅ　）−（ＧＡＩＮ−ＮＤ）＋２ΔＧＶ−（ＧＡＩＮ−ＮＤ））
という関係がある。
【００８３】
そこで、上記ステップＳ６４の補正値（ＧＡＩＮ値−ＮＤフィルタ値）＝▲１▼、ステップＳ６６の補正値（ＧＡＩＮ値−ＮＤフィルタ値）＝▲２▼、とすると、▲１▼、▲２▼の小さいほうの値が選択されて、補正が実行される。例えば、デジタル撮像系のラチチュードが１ｅｖの場合、△ＥＶ≦１となれば、露出オーバにはならない。
【００８４】
上記ステップＳ６４及びＳ６６に於ける補正値の算出とＡＥのプログラム線図の例が図１１乃至図１４に示される。図１１及び図１２はストロボ発光時のプログラム線図であり、図１３及び図１４はストロボ非発光時のプログラム線図である。
【００８５】
次に、ステップＳ６８では、上記ステップＳ６４〜Ｓ６７で選択されたＮＤフィルタ１８が選択駆動される。例えば、フィルタを４枚有して構成される場合、被写体光を０ＥＶ、１ＥＶ、２ＥＶ、３ＥＶ減光することができるようになっている。
【００８６】
この処理の後、本ルーチンを抜ける。
【００８７】
尚、上記で決定されたフレームレート、Ｇａｉｎ値、シャッタ秒時は、図４及び図５のフローチャートに於けるステップＳ３６で設定される。
【００８８】
また、測光部４のセンサの分割を、図１５に示されるようにしてもよい。
【００８９】
すなわち、ズームワイド時の領域６１として使用の輝度ＢＶＷ、ズームテレ時の領域６２として使用の輝度ＢＶＴ、そして中央領域６３の輝度ＢＶｓｐと、３分割にしてズームに連動した測光値を算出してもよい。
【００９０】
このように、第２の実施の形態によれば、銀塩撮影系とデジタル撮像系を独立して有するカメラに於いて、フィルム撮影は適正に露出でき、デジタル画像も露出オーバしない適正な画像を提供することができる。
【００９１】
また、上述した第２の実施の形態では、デジタル撮像系が変倍なし、銀塩撮影系が変倍ありの場合を例として説明したが、これに限られるものではない。銀塩撮影系、デジタル撮像系の何れにも変倍が無い場合や、何れにも変倍機能がある場合でも、銀塩撮影系とデジタル撮像系のＡＶ値が異なり、デジタル撮像系と銀塩撮影系を同時に撮像する場合には、第２の実施の形態と同様の露出処理を行ってもよい。
【００９２】
このように、銀塩撮影系を主導で行った場合でも、デジタル撮像系の画像は露出オーバしないという効果を得ることができる。
【００９３】
尚、この発明の上記実施の形態によれば、以下の如き構成を得ることができる。
【００９４】
すなわち、
（付記項１）　撮影画面の中央部を測光可能な第１の測光手段と、撮影画面全体を測光可能な第２の測光手段と、被写体像を撮像する撮像手段と、該被写体像を照明するためのストロボ発光手段と、露出を制御する露出制御手段と、を有するデジタルカメラに於いて、
上記第１の測光手段と、第２の測光手段による出力のうち、輝度の明るい出力に合わせて、上記露出制御手段により露出合わせを行い、上記撮像手段の出力の飽和を防止したストロボ発光制御を行うことを特徴とするデジタルカメラ。
【００９５】
（付記項２）　上記露出制御手段には、減光するための減光フィルタを使用することを特徴とする付記項１に記載のデジタルカメラ。
【００９６】
（付記項３）　銀塩フィルムに被写体像を露光する銀塩フィルム撮影手段を更に具備することを特徴とする付記項２に記載のデジタルカメラ。
【００９７】
（付記項４）　銀塩フィルムに被写体像を露光する銀塩撮影手段と、撮像部を用いて上記露光のタイミングで上記被写体像の撮像を行うデジタル撮像手段とを備えて、上記銀塩撮影手段及びデジタル撮像手段に於ける双方の絞り値が異なるカメラに於いて、
被写体輝度を判定する輝度判定手段と、
被写体像を照明するためのストロボ発光手段と、
露出を制御する露出制御手段と、
を具備し、
上記銀塩撮影を行う際の露出を決定し、上記ストロボ発光手段を用いた撮影を行う際に、銀塩撮影時に求めたストロボ発光量をデジタル撮像手段の絞り値を考慮した第１のデジタル部露出補正値と、ストロボ発光しないときのデジタル撮像手段を適正露出する第２のデジタル部露出補正値を求め、上記第１のデジタル部露出補正値と第２のデジタル部露出補正値のうち、暗く補正する方向になる補正値を上記デジタル撮像手段の露出に使用することを特徴とするカメラ。
【００９８】
（付記項５）　上記銀塩撮像系にズーム変倍機構が付いたことを特徴とする付記項４に記載のカメラ。
【００９９】
【発明の効果】
以上のようにこの発明によれば、デジタルカメラの場合、ストロボ発光制御を行うシーン、特に逆光シーンに於いて、露出オーバの画像をなくすことができる。また、銀塩撮影系とデジタル撮像系とを有するハイブリットタイプのカメラシステムの場合、ストロボ発光の有無に関わらず、銀塩フィルム撮影、デジタル撮像共に露出オーバのない適正露出の画像を得ることができる。
【図面の簡単な説明】
【図１】この発明の第１の実施の形態に係るカメラの全体の構成を示すブロック図である。
【図２】この発明の第１の実施の形態に係るカメラの外観図であり、（ａ）は正面図、（ｂ）は背面図である。
【図３】測光部４により測定される輝度の領域の例を示した図である。
【図４】第１の実施の形態に於けるカメラ全体の動作を説明するフローチャートである。
【図５】第１の実施の形態に於けるカメラ全体の動作を説明するフローチャートである。
【図６】図４及び図５のフローチャートに於けるステップＳ３４のサブルーチン「ＡＥ演算」の詳細な動作について説明するフローチャートである。
【図７】逆光シーンの例を示した図である。
【図８】この発明の第１の実施の形態の第１の変形例を示すもので、デジタルカメラの構成を示すブロック図である。
【図９】この発明の第２の実施の形態に係るカメラ全体の構成を示すブロック図である。
【図１０】第２の実施の形態によるカメラの動作を説明するもので、図４及び図５のフローチャートに於けるステップＳ３４のサブルーチン「ＡＥ演算」の詳細な動作を説明するフローチャートである。
【図１１】図１０のフローチャートに於けるステップＳ６４及びＳ６６の補正値の算出とＡＥのプログラム線図の例を示したもので、ストロボ発光時のプログラム線図である。
【図１２】図１０のフローチャートに於けるステップＳ６４及びＳ６６の補正値の算出とＡＥのプログラム線図の例を示したもので、ストロボ発光時のプログラム線図である。
【図１３】図１０のフローチャートに於けるステップＳ６４及びＳ６６の補正値の算出とＡＥのプログラム線図の例を示したもので、ストロボ非発光時のプログラム線図である。
【図１４】図１０のフローチャートに於けるステップＳ６４及びＳ６６の補正値の算出とＡＥのプログラム線図の例を示したもので、ストロボ非発光時のプログラム線図である。
【図１５】測光部４により測定される輝度の分割領域の他の例を示した図である。
【符号の説明】
１　カメラ本体、
２　銀塩撮影レンズ部、
２ａ　撮影レンズ、
３　測距部、
４　測光部、
５　デジタル撮像部、
６　ストロボ発光部、
７　操作部、
８　銀塩表示部、
１０　デジタル表示部、
１５　被写体、
１７　銀塩フィルム（フィルム）、
１８　ＮＤフィルタ、
２０　メインＣＰＵ、
２１　ズーム部、
２２　レンズ駆動部、
２３　ＮＤフィルタ駆動部、
２４　シャッタ駆動部、
２７　充電部、
３０　ＥＥＰＲＯＭ、
３１　画像記憶部。
【図１】
2004004361.tif 000003
【図２】
2004004361.tif 000004
【図３】
2004004361.tif 000005
【図４】
2004004361.tif 000006
【図５】
2004004361.tif 000007
【図６】
2004004361.tif 000008
【図７】
2004004361.tif 000009
【図８】
2004004361.tif 000010
【図９】
2004004361.tif 000011
【図１０】
2004004361.tif 000012
【図１１】
2004004361.tif 000013
【図１２】
2004004361.tif 000014
【図１３】
2004004361.tif 000015
【図１４】
2004004361.tif 000016
【図１５】
2004004361.tif 000017